【事件の表示】
　特許第２８９０４０２号「投写型カラ−表示装置」の特許に対する特許異議の申立てについて、次のとおり決定する。
【結　論】
　訂正を認める。
　特許第２８９０４０２号の特許を維持する。
【理　由】
１．手続の経緯
　特許第２８９０４０２号の発明は、昭和６２年７月２日（優先権主張昭和６１年８月７日）に出願された後、平成１１年２月２６日にその発明について特許の設定登録がなされたが、その後、その特許について異議申立人　石田保より特許異議の申立がなされ、取消理由通知がなされ、その指定期間内である平成１２年４月２７日に訂正請求がなされたものである。
　
２．訂正の適否についての判断
ア．訂正の概要及び、その適否の判断
　特許権者が求めている訂正の内容は以下のとおりである。　
ａ．特許請求の範囲第１項の「前記第１タイプの透過型液晶パネルと前記第２タイプの透過型液晶パネルとは、前記列側駆動回路により供給される前記データ信号の供給順が逆となることを特徴とする投写型カラー表示装置。」の記載を「前記第１タイプの透過型液晶パネルと前記第２タイプの透過型液晶パネルとは、左右反転したマスクパターンあるいは前記列側駆動回路のみ左右反転したマスクパターンを用いて形成されてなり、前記列側駆動回路により供給される前記データ信号の供給順が逆となって左右が反転した表示を行なうことを特徴とする投写型カラー表示装置。」と訂正する。
ｂ．特許請求の範囲第２項を削除する。
ｃ．明細書３ページ４行から４ページ３行の〔問題点を解決するための手段〕中の「前記第１タイプの透過型液晶パネルと前記第２タイプの透過型液晶パネルとは、前記列側駆動回路により供給される前記データ信号の供給順が逆となることを特徴とする。
　また、前記第１タイプの透過型液晶パネルと前記第２タイプの透過型液晶パネルとは、左右反転したマスクパターンあるいは前記列側駆動回路のみ左右反転したマスクパターンを用いて形成されてなることを特徴とする。」の記載を、「前記第１タイプの透過型液晶パネルと前記第２タイプの透過型液晶パネルとは、左右反転したマスクパターンあるいは前記列側駆動回路のみ左右反転したマスクパターンを用いて形成されてなり、前記列側駆動回路により供給される前記データ信号の供給順が逆となって左右が反転した表示を行なうことを特徴とする。」と訂正する。
　
　上記ａの訂正は訂正前の特許請求の範囲第２項に記載された実施の態様を、本件発明の要旨としてその構成に加えたものであるから、願書に添付した明細書に記載された範囲内で、本件発明の要旨を具体的に限定したものといえるから、特許請求の範囲の減縮に該当するものであって、新規事項の追加に該当せず、また、実質上特許請求の範囲を拡張し、または変更するものではない。
　上記ｂの訂正は、上記ａの訂正に伴い訂正前の特許請求の範囲第２項を削除するものであるから、明瞭でない記載の釈明に該当するものであって、新規事項の追加に該当せず、また、実質上特許請求の範囲を拡張し、または変更するものではない。
　上記ｃの訂正は、詳細な説明に記載された特許請求の範囲に対応する記載を、特許請求の範囲の訂正に合わせて訂正するものであるから、明瞭でない記載の釈明に該当するものであって、新規事項の追加に該当せず、また、実質上特許請求の範囲を拡張し、または変更するものではない。
　
イ．独立特許要件の判断
　以上のとおりであるから、訂正明細書の特許請求の範囲に記載された本件発明の要旨（以下、単に本件発明という）は、その特許請求の範囲第１項に記載された下記のとおりのものである。
　　　　記
　複数の色光をデータ信号に基づき各々変調する複数の透過型液晶パネルと、
　前記各透過型液晶パネルにより変調された色光を合成する色合成手段と、
　前記色合成手段により合成された合成光を投写する投写光学手段とを有し、
　前記複数の透過型液晶パネルは、変調により生成された色光の画像が左右反転した状態で前記投写光学手段に導かれる色光を変調する第１タイプの透過型液晶パネルと、変調により生成された色光の画像が左右反転しない状態で前記投写光学手段に導かれる色光を変調する第２タイプの透過型液晶パネルとを有する投写型カラー表示装置であって、
　前記各透過型液晶パネルは一対の基板間に液晶を挟持してなり、
　一方の前記基板上には、前記データ信号が供給される複数の信号線と、前記複数の信号線と交差する複数のゲート線と、前記信号線及びゲート線に接続される複数のトランジスタと、前記複数のトランジスタに接続される複数の画素電極と、前記ゲート線を駆動するための行側駆動回路と、前記信号線に前記データ信号を供給するための列側駆動回路とが形成され、
　他方の前記基板上には、当該他方の基板側から入射する光から前記複数のトランジスタを遮光するための遮光層が形成されてなり、
　前記第１タイプの透過型液晶パネルと前記第２タイプの透過型液晶パネルとは、左右反転したマスクパターンあるいは前記列側駆動回路のみ左右反転したマスクパターンを用いて形成されてなり、前記列側駆動回路により供給される前記データ信号の供給順が逆となって左右が反転した表示を行なうことを特徴とする投写型カラー表示装置。
　
　訂正前の本件発明に対して、当審が、平成１２年２月１４日付けで通知した取消理由通知で引用した刊行物１乃至３には下記のとおりの記載がある。
　
刊行物１：テレビ学技報ＶＯＬ.１０，ＮＯ.１４テレビジョン学会技術報告、画像表示、社団法人テレビジョン学会（１９８６（昭和６１）年８月５日）２３−２８頁ＩＰＤ１０９−５　ＴＦＴ−ＬＣＤによるフルカラービデオプロジェクター
　「今回報告するビデオプロジェクターは、動画表示が可能である液晶プロジェクターである。」（２３頁右欄７−９行）
　「基本的な構成を第１図に示す。主な構成要素は、白色光源、色分解用ダイクロイックミラー、３原色に対応した透過型液晶ライトバルブ、合成用のダイクロイックプリズム、投射レンズである。
　光源から出射した光は、十字状に組合わされた赤反射、青反射ダイクロイックミラーによって、赤、緑、青の三原色に分解される、次にこれらの色光は、液晶ライトバルブに入射し、三原色に対応した画像変調を受ける。赤と青光は鏡で光路を折り曲げられ、直進した緑光と共にダイクロイックプリズムによって合成が行なわれる。」（２３頁右欄１１行−２４頁左欄８行）
　「そこで我々は、1．27”対角寸法の超小型、ＴＦＴ−ＬＣライトバルブを開発した。これは従来から当社で開発を行なってきたポリシリコン薄膜トランジスタを、各画素駆動用だけでなく、行及び列の駆動回路にも採用したものである。」（２４頁左欄３１−３６行）
　「第４図に示すように投射光入射側の共通電極基板状に、金属のライトシールド層を設置した。このマスクパターンはＴＦＴと画素の隙間に対応した井桁形状をしている。マスクにより次の２つの効果を生んでいる。１つは、ＴＦＴの光によるリークを減少させるものである。」（２５頁左欄２−７行）
　「ダイクロイックプリズムは３原色の画像光の合成を行なうものである。４つの直角プリズムを貼り合わせ、その貼り合わせ面に赤反射と青反射作用を行う誘電体多層膜が蒸着されている。・・第６図はダイクロイックプリズムにＲ、Ｇ、Ｂに対応した３枚のライトバルブが配置された様子を示している。」（２５頁右欄１６−２４行）
刊行物２：テレビジョン学会誌１９８３年ＶＯＬ．３７、ＮＯ．２（昭和５８年２月、社団法人テレビジョン学会発行）１１２−１１７頁　腕時計テレビ受像器
　「上基板としては透明電極を全面に付けたガラス、下基板としてはマトリックス状の画素部とＸ、Ｙ駆動回路を作り込んだ単結晶シリコン基板を用いている。両基板間にグラスファイバーを混合したエポキシ系のスペーサー剤で８μｍの間隙を持たせ、この空間にゲストホスト液晶を封入した構造となっている。」（１１４頁右欄１２行−１１５頁左欄４行）
　「画素部には横１５２本のソースラインと縦２１０本のゲートラインがマトリックス状に形式され、各ラインの交点には画素トランジスタＴＲｉｊ、コンデンサＣｉｊ、液晶駆動電極Ｌｉｊがある。画素部の上下、左右には欠陥救済のために各々２系統のＸ、Ｙ駆動回路が形成されている。Ｘ駆動回路は１５２段のＸシフトレジスターおよび、このシフトレジスターの各段の出力ＸＧｉをゲート信号とし映像信号のソースラインへの書込みを制御する書込みトランジスタから成っている。
・・
　ＬＶＤパネルの駆動は点順次方式を採用していることが大きな特徴である。図５はタイミングチャートである。各ゲートラインの信号Ｙ１〜Ｙ２１０は、図５のように映像信号の１水平走査期間（以下１Ｈと呼ぶ）に同期して順次ＯＮされる。この間にクロックＣＬｘに同期して図６のように点順次に画素データが書込まれる。」（１１５頁左欄８行−右欄５行）
刊行物３：特開昭５４−１０７２２１号公報
　「本発明は、液晶マトリクス表示装置に係り、特に融通性を持たせたマトリクス表示装置の駆動回路に関する」（公報１頁左下欄１３−１５行）
　「一方、直・並列変換回路４には、双方向性のシフト機能を有するフリップ・フロップ７ａ〜７ｅを多段接続した・・第６図でＳＲ、ＳＬは、右シフト、左シフトの時のデータ入力端子であり、Ｓ入力により右シフト、左シフトの切換えを行う。また、シフトクロックＣＰ１と出力の関係を第７図に示す。第７図で、シフト切換え信号ＳＬＥが”１”レベルでは、右シフトを行う。・・さらに信号ＳＬＥが”０”レベルでは、左シフトとなる。」（公報２頁右上欄１７行−左下欄１０行）
　
（対比・判断）
　本件発明と、上記刊行物１乃至３に記載の発明とを対比すると、上記いずれの刊行物に記載の発明にも、本件発明を特定する事項である「前記第１タイプの透過型液晶パネルと前記第２タイプの透過型液晶パネルとは、左右反転したマスクパターンあるいは前記列側駆動回路のみ左右反転したマスクパターンを用いて形成されてなり、前記列側駆動回路により供給される前記データ信号の供給順が逆となって左右が反転した表示を行なう」の記載がなく、当該事項は、第１および第２のタイプの等価型液晶パネルの形成の仕方を限定するとともに、それぞれの液晶パネルに駆動信号を供給する時、一部のパネルに反転した順で該駆動信号を供給するための駆動することを限定するものであって、この点で上記刊行物１乃至３のものとは異なるものであるから、上記刊行物１乃至３に記載の発明から当業者が容易に発明をすることができたとはいえない。
　したがって、本件発明は特許出願の際独立して特許を受けることができるものである。
        　
ウ．むすび
　以上のとおりであるから、上記訂正は、特許法第１２０条の４第２項および同条第３項で準用する第１２６条第２乃至４項の規定に適合するので、当該訂正を認める。
３．特許異議の申し立てについて
ア．申立の概要
　特許異議申立人は特許異議申立時に、証拠として甲第１乃至３号証（当審が上記取消理由通知書で引用した刊行物１乃至３とその内容は同じである）を提出し、訂正前の特許請求の範囲第１項の発明は、甲第１乃至３号証に基づき当業者が容易に発明できたものであるから特許法第２９条第２項の規定に該当し、上記請求項１に係る発明の特許は、特許法第１１３条第１項第２号の規定により取り消されるべきである旨主張している。
　
イ．判断　
　上記甲第１乃至３号証は、当審が取消理由通知書で通知した刊行物１乃至３と同じであり、その記載事項および、本件発明との対比、判断は上記２．イに記載したとおりである。
　
ウ．むすび
　以上のとおりであるから、特許異議申立の理由および、証拠によっては、本件発明の特許を取り消すことはできない。　
　また、他に本件発明の特許を取り消すべき理由を発見しない。
　よって結論のとおり決定する。　
【異議決定日】
平成１２年５月１５日（２０００．５．１５）
【訂正の要旨】
訂正の要旨
ａ．特許請求の範囲第１項の「前記第１タイプの透過型液晶パネルと前記第２タイプの透過型液晶パネルとは、前記列側駆動回路により供給される前記データ信号の供給順が逆となることを特徴とする投写型カラー表示装置。」の記載を、特許請求の範囲の減縮を目的として「前記第１タイプの透過型液晶パネルと前記第２タイプの透過型液晶パネルとは、左右反転したマスクパターンあるいは前記列側駆動回路のみ左右反転したマスクパターンを用いて形成されてなり、前記列側駆動回路により供給される前記データ信号の供給順が逆となって左右が反転した表示を行なうことを特徴とする投写型カラー表示装置。」
ｂ．特許請求の範囲第２項を削除する。
ｃ．明細書３ページ４行から４ページ３行の「〔問題点を解決するための手段〕
　本発明の投写型カラー表示装置は、
　複数の色光をデータ信号に基づき各々変調する複数の透過型液晶パネルと、
　前記各透過型液晶パネルにより変調された色光を合成する色合成手段と、
　前記色合成手段により合成された合成光を投写する投写光学手段とを有し、
　前記複数の透過型液晶パネルは、変調により生成された色光の画像が左右反転した状態で前記投写光学手段に導かれる色光を変調する第１タイプの透過型液晶パネルと、変調により生成された色光の画像が左右反転しない状態で前記投写光学手段に導かれる色光を変調する第２タイプの透過型液晶パネルとを有する投写型カラー表示装置であって、
　前記各透過型液晶パネルは一対の基板間に液晶を挟持してなり、
　一方の前記基板上には、前記データ信号が供給される複数の信号線と、前記複数の信号線と交差する複数のゲート線と、前記信号線及びゲート線に接続される複数のトランジスタと、前記複数のトランジスタに接続される複数の画素電極と、前記ゲート線を駆動するための行側駆動回路と、前記信号線に前記データ信号を供給するための列側駆動回路とが形成され、
　他方の前記基板上には、当該地方の基板側から入射する光から前記複数のトランジスタを遮光するための遮光層が形成されてなり、
　前記第１タイプの透過型液晶パネルと前記第２タイプの透過型液晶パネルとは、前記列側駆動回路により供給される前記データ信号の供給順が逆となることを特徴とする。
　また、前記第１タイプの透過型液晶パネルと前記第２タイプの透過型液晶パネルとは、左右反転したマスクパターンあるいは前記列側駆動回路のみ左右反転したマスクパターンを用いて形成されてなることを特徴とする。
〔作用〕
　本発明の上記構成によれば、第１タイプの透過型液晶パネルと第２タイプの透過型液晶パネルを合成すれば、一方のタイプの透過型液晶パネルのみ左右反転した表示をする必要がある。これを実現するためには、一方のタイプの透過型液晶パネルのみ裏返して使用すればよいが、光の入射面が反対となり、トランジスタを十分に遮光することができなくなる。そこで、一方のタイプの透過型液晶パネルのみ左右が反転したデータ信号を画素電極に供給できるように列側駆動回路を構成することにより、各透過型液晶パネルに入射する光の入射面が同一側となり、トランジスタヘの光の入射による性能低下を防ぐことができ、良好な表示を得ることができる。」の記載を、明瞭でない記載の釈明を目的として
「〔問題点を解決するための手段〕
　本発明の投写型カラー表示装置は、
　複数の色光をデータ信号に基づき各々変調する複数の透過型液晶パネルと、
　前記各透過型液晶パネルにより変調された色光を合成する色合成手段と、
　前記色合成手段により合成された合成光を投写する投写光学手段とを有し、
　前記複数の透過型液晶パネルは、変調により生成された色光の画像が左右反転した状態で前記投光学手段に導かれる色光を変調する第１タイプの透過型液晶パネルと、変調により生成された色光の画像が左右反転しない状態で前記投写光学手段に導かれる色光を変調する第２タイプの透過型液晶パネルとを有する投写型カラー表示装置であって、
　前記各透過型液晶パネルは一対の基板間に液晶を挟持してなり、
　一方の前記基板上には、前記データ信号が供給される複数の信号線と、前記複数の信号線と交差する複数のゲート線と、前記信号線及びゲート線に接続される複数のトランジスタと、前記複数のトランジスタに接続される複数の画素電極と、前記ゲート線を駆動するための行側駆動回路と、前記信号線に前記データ信号を供給するための列側駆動回路とが形成され、
　他方の前記基板上には、当該地方の基板側から入射する光から前記複数のトランジスタを遮光するための遮光層が形成されてなり、
　前記第１タイプの透過型液晶パネルと前記第２タイプの透過型液晶パネルとは、左右反転したマスクパターンあるいは前記列側駆動回路のみ左右反転したマスクパターンを用いて形成されてなり、前記列側駆動回路により供給される前記データ信号の供給順が逆となって左右が反転した表示を行なうことを特徴とする。
〔作用〕
　本発明の上記構成によれば、第１タイプの透過型液晶パネルと第２タイプの透過型液晶パネルを合成すれば、一方のタイプの透過型液晶パネルのみ左右反転した表示をする必要がある。これを実現するためには、一方のタイプの透過型液晶パネルのみ裏返して使用すればよいが、光の入射面が反対となり、トランジスタを十分に遮光することができなくなる。そこで、一方のタイプの透過型液晶パネルのみ左右が反転したデータ信号を画素電極に供給できるように列側駆動回路を構成することにより、各透過型液晶パネルに入射する光の入射面が同一側となり、トランジスタヘの光の入射による性能低下を防ぐことができ、良好な表示を得ることができる。」と訂正する。
（５４）【発明の名称】
投写型カラー表示装置
（５７）【特許請求の範囲】
　（１）　複数の色光をデータ信号に基づき各々変調する複数の透過型液晶パネルと、
　前記各透過型液晶パネルにより変調された色光を合成する色合成手段と、
　前記色合成手段により合成された合成光を投写する投写光学手段とを有し、
　前記複数の透過型液晶パネルは、変調により生成された色光の画像が左右反転した状態で前記投写光学手段に導かれる色光を変調する第１タイプの透過型液晶パネルと、変調により生成された色光の画像が左右反転しない状態で前記投写光学手段に導かれる色光を変調する第２タイプの透過型液晶パネルとを有する投写型カラー表示装置であって、
　前記各透過型液晶パネルは一対の基板間に液晶を挟持してなり、
　一方の前記基板上には、前記データ信号が供給される複数の信号線と、前記複数の信号線と交差する複数のゲート線と、前記信号線及びゲート線に接続される複数のトランジスタと、前記複数のトランジスタに接続される複数の画素電極と、前記ゲート線を駆動するための行側駆動回路と、前記信号線に前記データ信号を供給するための列側駆動回路とが形成され、
　他方の前記基板上には、当該他方の基板側から入射する光から前記複数のトランジスタを遮光するための遮光層が形成されてなり、前記第１タイプの透過型液晶パネルと前記第２タイプの透過型液晶パネルとは、左右反転したマスクパターンあるいは前記列側駆動回路のみ左右反転したマスクパターンを用いて形成されてなり、前記列側駆動回路により供給される前記データ信号の供給順が逆となって左右が反転した表示を行なう
ことを特徴とする投写型カラー表示装置。
【発明の詳細な説明】
〔産業上の利用分野〕
　本発明は投写型カラー表示装置における液晶パネルの構成に関する。
〔従来の技術〕
　従来の投写型カラー表示装置は、加法混色の三原色である赤色・緑色および青色の映像をそれぞれ表示する三本のＣＲＴ投写管を並べてスクリーンに投写し、三原色の映像を合成してカラー映像を得るものが知られている。
〔発明が解決しようとする問題点〕
　しかし前述の従来技術では、明るいカラー映像を得ようとすれば大型のＣＲＴ投写管を必要とするため、装置が大型になるといった問題点を有する。
　また、三本のＣＲＴ投写管より投写された映像をスクリーン上で合成するため調整が面倒であり映像の周辺部には色ムラを生じるといった問題点を有する。
　そこで本発明はこのような問題点を解決し、より良好な画像表示を行うためにおなされたものであり、その目的はトランジスタを基板上に集積したアクティブマトリクス方式による透過型液晶パネルをライトバルブに用いて、投写型カラー表示装置を小型化し、且つ基板上に集積したトランジスタの光の影響による性能劣化をなくしてより良好な表示を提供することにある。
〔問題点を解決するための手段〕
　本発明の投写型カラー表示装置は、
　複数の色光をデータ信号に基づき各々変調する複数の透過型液晶パネルと、
　前記各透過型液晶パネルにより変調された色光を合成する色合成手段と、
　前記色合成手段により合成された合成光を投写する投写光学手段とを有し、
　前記複数の透過型液晶パネルは、変調により生成された色光の画像が左右反転した状態で前記投写光学手段に導かれる色光を変調する第１タイプの透過型液晶パネルと、変調により生成された色光の画像が左右反転しない状態で前記投写光学手段に導かれる色光を変調する第２タイプの透過型液晶パネルとを有する投写型カラー表示装置であって、
　前記各透過型液晶パネルは一対の基板間に液晶を挟持してなり、
　一方の前記基板上には、前記データ信号が供給される複数の信号線と、前記複数の信号線と交差する複数のゲート線と、前記信号線及びゲート線に接続される複数のトランジスタと、前記複数のトランジスタに接続される複数の画素電極と、前記ゲート線を駆動するための行側駆動回路と、前記信号線に前記データ信号を供給するための列側駆動回路とが形成され、
　他方の前記基板上には、当該地方の基板側から入射する光から前記複数のトランジスタを遮光するための遮光層が形成されてなり、
　前記第１タイプの透過型液晶パネルと前記第２タイプの透過型液晶パネルとは、左右反転したマスクパターンあるいは前記列側駆動回路のみ左右反転したマスクパターンを用いて形成されてなり、前記型側駆動回路により供給される前記データ信号の供給順が逆となって左右が反転した表示を行なう
　ことを特徴とする。
〔作用〕
　本発明の上記構成によれば、第１タイプの透過型液晶パネルと第２タイプの透過型液晶パネルを合成すれば、一方のタイプの透過型液晶パネルのみ左右反転した表示をする必要がある。これを実現するためには、一方のタイプの透過型液晶パネルのみ裏返して使用すればよいが、光の入射面が反対となり、トランジスタを十分に遮光することができなくなる。そこで、一方のタイプの透過型液晶パネルのみ左右が反転したデータ信号を画素電極に供給できるように列側駆動回路を構成することにより、各透過型液晶パネルに入射する光の入射面が同一側となり、トランジスタヘの光の入射による性能低下を防ぐことができ、良好な表示を得ることができる。
〔実施例〕
　以下、本発明による実施例を図面を参照して説明する。
　第１図はキューブプリズムを用いた光学系の位置関係を示す斜視図、第２図はキューブプリズムを用いた光学系の位置関係を示す上面図である。
　図において投写レンズ（１０）は液晶パネルに表示された映像をスクリーンに拡大して投写するものである。
　キューブプリズム（１１）は直角プリズムの斜面に特定の波長の光を反射するダイクロイック層を形成したものを４個貼り合わせたものであり、青反射面（１２）は青色表示液晶パネル（１６）を透過した青色光線（１９）を、投写レンズ（１０）側に反射し、赤反射面（１３）は赤色表示液晶パネル（１４）を透過した赤色光線（１７）を投写レンズ（１０）側に反射する。緑色表示液晶パネル（１５）を透過した緑色光線（１８）はキューブプリズム（１１）を透過して、投写レンズ（１０）に至る。ここで投写レンズ側より見た三枚の液晶パネルの光学的位置関係を調整することにより三枚の液晶パネルに表示される映像が一個のカラー映像として合成され、一本の投写レンズ（１０）によりスクリーンに投写されるので、映像の周辺部においても色ずれのない表示が得られるのである。
　スクリーンに表示される映像の表示方向は通常左から右へ、上から下へと表示される。スクリーンでそのような表示を得るためには液晶パネルでの表示の方向は図中矢印で示す方向にする必要がある。すなわち、投写レンズ（１０）にて映像の上下と左右は反転し、赤色表示液晶パネル、　（１４）と青色表示液晶パネル（１６）の映像は、キューブプリズム（１１）で反射するために左右が反転する。したがって三枚の液晶パネルの上下の表示方向は下から上へと表示し、光線の入射側から見た各液晶パネルの左右表示方向は、赤色表示液晶パネル（１４）と、青色表示液晶パネル（１６）は右から左へ、緑色表示液晶パネル（１５）は左から右へと表示するのである。
　この様子を第３図の液晶パネルの表示を示す斜視図を用いて説明すると、ガラス基板（３０）と石英ガラス基板（３１）の隙間に液晶を封入してなる液晶パネルの表示は、ガラス基板（３０）側より見て赤色表示液晶パネル（１４）と青色表示液晶パネル（１６）の映像はスクリーンにおける映像に対して正転の関係にあり、緑色表示液晶パネル（１５）の映像は、左右が反転した関係にある。
　緑色表示液晶パネル（１５）のような表示を得るためには例えば赤色表示液晶パネル（１４）を裏返せば得られるが、それでは、ガラス基板（３０）と石英ガラス基板（３１）が入れ替わってしまい薄膜トランジスタの性能を低下させることになる。
　すなわち第４図の液晶パネルの部分断面図を参照して説明すると、液晶パネルの画素部はガラス基板（３０）と石英ガラス基板（３１）の間に液晶（６５）を封入し、石英ガラス基板（３１）には、薄膜トランジスタ（６２）が形成され、そのゲート電極にはゲート線（６０）が、ソース電極にはソース（６１）が、またドレイン電極には画素電極（６３）で、接続されている。ガラス基板（３０）には共通電極（６４）と光を遮光する遮光層（６６）が形成され、遮光層以外の部分が開口部（６７）となる。上偏光板（６８）と下偏光板（６９）は特定の偏光成分の光のみ透過される性質のものである。
　あるゲート線（６０）に電圧を印加すると、そのゲート線に接続されている、薄膜トランジスタ（６２）は導通状態となり、ソース線（６１）に印加された電圧を、画素電極（６３）と共通電極（６４）とで構成する容量に充電し、液晶を駆動するのである。　が、光が薄膜トランジスタ（６２）を照射すると光により薄膜トランジスタ（６２）の特性が変化して動作が不良となる。そのためガラス基板（３０）に遮光層（６６）を形成して薄膜トランジスタ（６２）に光が照射されないようになっている。これにより、ガラス基板（３０）側より光が照射されても、薄膜トランジスタ（６２）の性能は低下しない。したがって、赤色表示液晶パネル（１４）を裏返して緑色表示液晶パネル（１５）として用いることができない。つまり緑色表示液晶パネル（１５）のみ左右が反転した表示をするように駆動ドライバー回路を構成しなくてはならない。
　第５図は参考例として示す外付ドライバー回路を用いた液晶パネルの平面図であり、列ドライバーＩＣ（４０）を実装したポリイミド製の列側基板（４１）を液晶パネルの上下に配して、ソース線（６１）を駆動し、行ドライバーＩＣ（４２）を実装した行側基板（４３）を液晶パネルの左右に配してゲート線（６０）を駆動する。
　赤色表示液晶パネル（１４）および青色表示液晶パネル（１６）の、左右の表示方向は矢印（４４）で示す方向となり、液晶パネルの上下に配した列側基板（４１）を裏返してソース線（６１）に接続すれば矢印（４５）で示す方向の表示となり緑色表示液晶パネル（１５）を得ることができる。
　第６図は本発明における内蔵ドライバーによる液晶パネルの斜視図であり石英ガラス基板（３１）のみ示してある。
　石英ガラス基板（３１）には薄膜トランジスタ（６２）を集積した画素部（５０）が形成され、列側駆動信号（５２）により、動作する列ドライバー回路（５１）によりサンプルホールド用トランジスタ（５６）を制御してデータ信号（５５）のデータをソース線（６１）に書き込む回路と、行側駆動信号（５４）により動作し、ゲート線（６０）を駆動する行ドライバー回路（５３）とが薄膜トランジスタにより形成される。
　石英ガラス基板（３１）に形成される回路は半導体集積回路と同様、マスクパターンの形成やエッチング・熱処理等により形成されるので、左右が反転した表示をおこなう、液晶パネルを得るには、左右が反転したマスクパターンを用いるか、列ドライバー回路（５１）のみ左右が反転したマスクパターンを用いることにより容易に得ることができる。
〔別の実施例１〕
　第７図はダイクロイックミラーをＸ字型に組み合わせた光学系の平面図であり、薄いガラス板にダイクロイック層を形成した１枚の赤反射ダイクロイックミラー（７０）と二枚の青反射ダイクロイックミラー（７１）とを十字型に組み合わせて画像合成をおこなう。
　赤色表示液晶パネル（１４）を透過した赤色光線（１７）は、赤反射ダイクロイックミラー（７１）で反射され、青色表示液晶パネル（１６）を透過した青色光線（１９）は青反射ダイクロイックミラー（７１）で、反射されて投写レンズ（１０）に至る。緑色表示液晶パネル（１５）を透過した緑色光線（１８）は赤反射ダイクロイックミラー（７０）と青反射ダイクロイックミラー（７１）を透過して投写レンズ（１０）に至り三枚の液晶パネルに表示された画像は合成されるのである。この場合においても緑色表示液晶パネル（１５）に表示される映像のみ、赤色表示液晶パネル（１４）と青色表示液晶パネル（１６）の映像の表示方向とは左右が逆となる。
〔別の実施例２〕
　第８図は三枚のダイクロイックミラーを用いた光学系の平面図であり、赤色表示液晶パネル（１４）の映像は赤色反射ダイクロイックミラー（７０）　（７１）を２回反射して投写レンズ（１０）に至り、緑色表示液晶パネル（１５）の映像は緑色反射ダイクロイックミラー（７２）を反射して赤色反射ダイクロイックミラー（７１）を透過して投写レンズ（１０）に至る。また青色表示液晶パネル（１６）の映像は緑色反射ダイクロイックミラー（７２）と赤色反射ダイクロイックミラー（７１）を透過して投写レンズ（１０）に至るのである。
　このような場合においても液晶パネルの映像が投写レンズ（１０）に至るまでの反射の回数が０回または偶数回のものと奇数回のものとでは液晶パネルにおける表示の左右方向は異なる。すなわちこの場合においては光の入射側より見て赤色表示液晶パネル（１４）と緑色表示液晶パネル（１６）の表示方向は右から左であるが、緑色表示液晶パネル（１５）に表示方向のみ左から右に表示されるように駆動ドライバー回路を構成する必要がある。
　なお、緑反射ダイクロイックミラー（７３）と、２枚の青反射ダイクロイックミラー（７４）は白色光（７５）を光の三原色である赤色光・緑色光および青色光に色分解するものである。
〔発明の効果〕
　以上述べたように、本発明によれば、変調により生成された色光の画像が左右反転した状態で投写光学手段に導かれる色光を変調する第１タイプの透過型液晶パネルと、変調により生成された色光の画像が左右反転しない状態で投写光学手段に導かれる色光を変調する第２タイプの透過型液晶パネルとを有し、各透過型液晶パネルは一対の基板間に液晶を挟持してなり、一方の基板上には、データ信号が供給される複数の信号線と、複数の信号線と交差する複数のゲート線と、信号線及びゲート線接続される複数のトランジスタと、複数のトランジスタに接続される複数の画素電極と、ゲート線を駆動するための行側駆動回路と、信号線にデータ信号を供給するための列側駆動回路とが形成され、他方の基板上には、当該他方の基板側から入射する光から複数のトランジスタを遮光するための遮光層が形成されてなり、第１タイプの透過型液晶パネルと第２タイプの透過型液晶パネルとは、列側駆動回路により供給されるデータ信号の供給順が逆となる、ことにより、以下の如き顕著な効果を奏することができる。
　ａ）第１及び第２タイプの透過型液晶パネルの一方のタイプの透過型液晶パネルの駆動回路によるデータ信号の供給を、他方のタイプの透過型液晶パネルの駆動回路に対して逆方向としたことにより、一方のパネルの画像が他方のパネルに対して左右反転されるので、一方のタイプの液晶パネルを他方の液晶パネルに対して裏返す必要がなくなる。これにより、いずれの透過型液晶パネルも、遮光層の形成された他方の基板から色光を入射するように配置できる。そのため、他方の基板に形成された遮光層により、一方の基板に形成されたトランジスタを確実に遮光でき、トランジスタの光リークを低減することができる。その結果、トランジスタの動作が安定して、透過型液晶パネルにおける変調により形成される画像、ひいては合成画像の画質を向上することができる。
　ｂ）複数の透過型液晶パネルの基板に、画素部だけでなく、この画素部を駆動する行側駆動回路及び列側駆動回路の両方を形成しているので、各透過型液晶パネルにおいて行側駆動回路と列側駆動回路を液晶パネル基板に外付け実装する必要が無くなる。従って、複数の透過型液晶パネルを有する投写型カラー表示装置において、液晶パネルヘの外付け部品点数が減ると共に実装工程が少なくすることができるため、投写型カラー表示装置においてコストダウンを図り且つ小型化することができる。
　ｃ）第１タイプと第２タイプの液晶パネルの列側駆動回路の信号線に対する供給方向を同じとすると、液晶パネルの外部において液晶パネルヘのデータ信号の供給順序を第１タイプと第２タイプの液晶パネルとで反転させる必要性が生ずるが、本発明では液晶パネルに対する外部からのデータ信号供給を第１タイプと第２タイプの液晶パネル同士で変更する必要がなく、余分な制御がいらない。
【図面の簡単な説明】
　第１図はキューブプリズムを用いた光学系の位置関係を示す斜視図。
　第２図はキューブプリズムを用いた光学系の位置関係を示す上面図。
　第３図は液晶パネルの表示を示す斜視図。
　第４図は液晶パネルの部分断面図。
　第５図は外付ドライバー回路を用いた液晶パネルの正面図。
　第６図は内蔵ドライバーによる液晶パネルの斜視図。
　第７図はダイクロイックミラーをＸ字型に組み合わせた光学系の平面図。
　第８図は三枚のダイクロイックミラーを用いた光学系の平面図。
　　１０：投写レンズ
　　１１：キューブプリズム
　　１２：青反射面
　　１３：赤反射面
　　１４：赤色表示液晶パネル
　　１５：緑色表示液晶パネル
　　１６：青色表示液晶パネル
　　１７：赤色光線
　　１８：緑色光線
　　１９：青色光線